(57)【要約】【課題】２つの筐体間の開閉角度を十分に確保しつつ、機器の外観品質を高めることができるヒンジ装置及び該ヒンジ装置を備えた携帯用情報機器を提供する。【解決手段】携帯用情報機器１２に備えられたヒンジ装置１０は、上部筐体となるディスプレイ筐体１４に固定される第１軸２４を回転可能に支持した状態で下部筐体となる本体筐体１６に支持されるヒンジブロック２８を有し、本体筐体１６の後端部１６ｃにディスプレイ筐体１４の後端部１４ｃを開閉可能に連結するものである。このヒンジ装置１０のヒンジブロック２８は、ディスプレイ筐体１４及び本体筐体１６の後端側に向いて配置される外面２８ａに、ディスプレイ筐体１４及び本体筐体１６の前端側に向かって凹んだ形状の逃げ部３２を有する。【選択図】図３
2016164428.tif 000002
【特許請求の範囲】
【請求項１】
少なくとも上部筐体に固定される第１軸を回転可能に支持した状態で下部筐体に支持されるヒンジブロックを有し、前記下部筐体の後端部に前記上部筐体の後端部を開閉可能に連結するヒンジ装置であって、
前記ヒンジブロックは、前記上部筐体及び前記下部筐体の後端側に向いて配置される外面に、前記上部筐体及び前記下部筐体の前端側に向かって凹んだ形状の逃げ部を有することを特徴とするヒンジ装置。
【請求項２】
請求項１記載のヒンジ装置において、
前記上部筐体の上面は、前記ヒンジブロックを上方から覆う位置まで後方に延出されており、
前記上部筐体が開き動作されて前記ヒンジブロックに対して前記第１軸が回転した場合に、前記上部筐体の上面後端が前記逃げ部に進入することを特徴とするヒンジ装置。
【請求項３】
請求項２記載のヒンジ装置において、
前記第１軸の軸中心から前記逃げ部の前端までの距離が、前記第１軸の軸中心から前記上部筐体の上面後端までの距離以上に設定されていることを特徴とするヒンジ装置。
【請求項４】
請求項１〜３のいずれか１項に記載のヒンジ装置において、
前記ヒンジブロックは、前記下部筐体に固定される第２軸を回転可能に支持することで前記下部筐体に支持されるものであり、
前記上部筐体と前記下部筐体との間を、前記上部筐体を前記下部筐体に対して閉じた０度位置から該上部筐体を開き動作させ、前記上部筐体の上面が前記下部筐体の下面に対面して配置される３６０度位置まで回動可能に連結することを特徴とするヒンジ装置。
【請求項５】
請求項１〜４のいずれか１項に記載のヒンジ装置において、
前記ヒンジブロックは、前記上部筐体に支持される上端側と、前記下部筐体に支持される下端側との間を前記逃げ部に沿うように曲げたブーメラン形状を有することを特徴とするヒンジ装置。
【請求項６】
請求項１〜５のいずれか１項に記載のヒンジ装置を備えたことを特徴とする携帯用情報機器。
【請求項７】
請求項６記載の携帯用情報機器において、
前記上部筐体は、ディスプレイを有するディスプレイ筐体であり、
前記下部筐体は、キーボードを有する本体筐体であることを特徴とする携帯用情報機器。
【発明の詳細な説明】
【技術分野】
【０００１】
本発明は、２つの筐体間を開閉可能に連結するヒンジ装置及び該ヒンジ装置を備えた携帯用情報機器に関する。
【背景技術】
【０００２】
携帯電話やノートブック型パーソナルコンピュータ（ノート型ＰＣ）等の携帯用情報機器では、本体筐体に対してディスプレイ筐体をヒンジ装置によって開閉可能に連結した構成が用いられている。
【０００３】
例えば特許文献１には、本体筐体の後端部から起立したヒンジブロックの上端側でディスプレイ筐体の後端部に固定された軸を回転可能に支持する１軸構造のヒンジ装置を備えたノート型ＰＣが開示されている。また特許文献２，３には、ヒンジブロックの上端側でディスプレイ筐体の後端部に固定された軸を回転可能に支持し、ヒンジブロックの下端側で本体筐体の後端部に固定された軸を回転可能に支持する２軸構造のヒンジ装置を備え、ディスプレイ筐体を３６０度位置まで反転可能なノート型ＰＣ（コンバーチブル型ＰＣ）が開示されている。
【先行技術文献】
【特許文献】
【０００４】
【特許文献１】特開２０１４−６５２７４号公報
【特許文献２】特開２００５−２３９５５号公報
【特許文献３】特開２０１４−２３８７６４号公報
【発明の概要】
【発明が解決しようとする課題】
【０００５】
ところで、上記のような携帯用情報機器では、ディスプレイ筐体をこれに固定された軸周りに開き動作させた際、ディスプレイ筐体の後端がヒンジブロックの外面（後面）に干渉し、十分な開き角度を確保できないという問題がある。そこで、上記特許文献１〜３に記載された構成では、ディスプレイ筐体の後端部にヒンジブロックを配置する切欠部を設け、両者の干渉を回避している。
【０００６】
ところが、このようにディスプレイ筐体の後端部に切欠部を設けた場合、ディスプレイ筐体の上面に切欠部が形成されるため、特にディスプレイ筐体を本体筐体に対して閉じた際に切欠部が目立ち、機器の外観品質を損ねている。
【０００７】
本発明は、上記従来技術の課題を考慮してなされたものであり、２つの筐体間の開閉角度を十分に確保しつつ、機器の外観品質を高めることができるヒンジ装置及び該ヒンジ装置を備えた携帯用情報機器を提供することを目的とする。
【課題を解決するための手段】
【０００８】
本発明に係るヒンジ装置は、少なくとも上部筐体に固定される第１軸を回転可能に支持した状態で下部筐体に支持されるヒンジブロックを有し、前記下部筐体の後端部に前記上部筐体の後端部を開閉可能に連結するヒンジ装置であって、前記ヒンジブロックは、前記上部筐体及び前記下部筐体の後端側に向いて配置される外面に、前記上部筐体及び前記下部筐体の前端側に向かって凹んだ形状の逃げ部を有することを特徴とする。
【０００９】
このような構成によれば、ヒンジブロックの外面に逃げ部を設けたことにより、上部筐体の上面にヒンジブロックの回避用の切欠部を設けなくても上部筐体を開き動作させた際のヒンジブロックの外面に対する干渉を回避することができる。このため、上部筐体を四辺が直線状に形成された矩形形状とすることができるため、適用される携帯用情報機器の外観品質を高めることができる。しかも、例えば２軸構造のヒンジ装置では上部筐体の開閉角度を０度位置から３６０度位置まで確保することができ、例えば１軸構造のヒンジ装置では上部筐体の開閉角度を０度位置から１８０度位置まで確保することができ、いずれも十分な開閉角度を確保することができる。
【００１０】
前記上部筐体の上面は、前記ヒンジブロックを上方から覆う位置まで後方に延出されており、前記上部筐体が開き動作されて前記ヒンジブロックに対して前記第１軸が回転した場合に、前記上部筐体の上面後端が前記逃げ部に進入する構成であってもよい。そうすると、ヒンジブロックを上部筐体の上面で覆って外観上目立たなくすることを可能としつつもその上面後端がヒンジブロックに干渉することを回避できる。
【００１１】
前記第１軸の軸中心から前記逃げ部の前端までの距離が、前記第１軸の軸中心から前記上部筐体の上面後端までの距離以上に設定されていると、上部筐体とヒンジブロックの外面との干渉をより確実に回避できる。
【００１２】
前記ヒンジブロックは、前記下部筐体に固定される第２軸を回転可能に支持することで前記下部筐体に支持されるものであり、前記上部筐体と前記下部筐体との間を、前記上部筐体を前記下部筐体に対して閉じた０度位置から該上部筐体を開き動作させ、前記上部筐体の上面が前記下部筐体の下面に対面して配置される３６０度位置まで回動可能に連結した構成であってもよい。すなわち、０度位置から３６０度位置まで上部筐体を回動可能な構成の携帯用情報機器であっても当該ヒンジ装置を設けることで、上部筐体の上面にヒンジブロックの回避用の切欠部を設けない高い外観品質を備えることができる。
【００１３】
前記ヒンジブロックは、前記上部筐体に支持される上端側と、前記下部筐体に支持される下端側との間を前記逃げ部に沿うように曲げたブーメラン形状を有する構成であってもよい。そうすると、ヒンジブロックに十分な強度を確保して上部筐体と下部筐体との間を安定して連結することができ、しかも上部筐体との間の干渉を回避して十分な開閉角度を確保することができる。
【００１４】
本発明に係る携帯用情報機器は、上記構成のヒンジ装置を備えたことを特徴とする。
【００１５】
この場合、前記上部筐体は、ディスプレイを有するディスプレイ筐体であり、前記下部筐体は、キーボードを有する本体筐体であってもよい。
【発明の効果】
【００１６】
本発明によれば、ヒンジブロックの外面に逃げ部を設けたことにより、十分な開閉角度を確保しつつ携帯用情報機器の外観品質を高めることができる。
【図面の簡単な説明】
【００１７】
【図１】図１は、本発明の一実施形態に係るヒンジ装置を備えた携帯用情報機器の斜視図である。
【図２】図２は、図１に示す携帯用情報機器のディスプレイ筐体を本体筐体に対して閉じた状態での平面図である。
【図３】図３は、ヒンジ装置を用いたディスプレイ筐体の本体筐体に対する回動動作を模式的に示す動作説明図であり、図３（Ａ）は、０度位置を示す図であり、図３（Ｂ）は、９０度位置を示す図であり、図３（Ｃ）は、１８０度位置を示す図である。
【図４】図４は、図３に示すヒンジ装置を用いたディスプレイ筐体の本体筐体に対する回動動作を模式的に示す動作説明図であり、図４（Ａ）は、２７０度位置を示す図であり、図４（Ｂ）は、３６０度位置を示す図である。
【図５】図５は、第１変形例に係るヒンジ装置を用いたディスプレイ筐体の本体筐体に対する回動動作を模式的に示す動作説明図であり、図５（Ａ）は、０度位置を示す図であり、図５（Ｂ）は、９０度位置を示す図であり、図５（Ｃ）は、１８０度位置を示す図である。
【図６】図６は、図５に示すヒンジ装置を用いたディスプレイ筐体の本体筐体に対する回動動作を模式的に示す動作説明図であり、図６（Ａ）は、２７０度位置を示す図であり、図６（Ｂ）は、３６０度位置を示す図である。
【図７】図７は、第２変形例に係るヒンジ装置を用いたディスプレイ筐体の本体筐体に対する回動動作を模式的に示す動作説明図であり、図７（Ａ）は、０度位置を示す図であり、図７（Ｂ）は、９０度位置を示す図であり、図７（Ｃ）は、１８０度位置を示す図である。
【発明を実施するための形態】
【００１８】
以下、本発明に係るヒンジ装置について、この装置を備えた携帯用情報機器を例示して好適な実施の形態を挙げ、添付の図面を参照しながら詳細に説明する。
【００１９】
図１は、本発明の一実施形態に係るヒンジ装置１０を備えた携帯用情報機器１２の斜視図であり、ヒンジ装置１０によってディスプレイ筐体１４を本体筐体１６から開いたノート型ＰＣでの使用形態を示している。図２は、図１に示す携帯用情報機器１２のディスプレイ筐体１４を本体筐体１６に対して閉じた状態での平面図である。また図３及び図４は、ヒンジ装置１０を用いたディスプレイ筐体１４の本体筐体１６に対する回動動作を模式的に示す動作説明図であり、図２中のＩＩＩ−ＩＩＩ線に沿う断面構造を模式的に図示したものである。
【００２０】
本実施形態に係る携帯用情報機器１２は、ディスプレイ筐体１４を本体筐体１６に対して９０度前後の角度位置に回動させた状態ではノート型ＰＣとして好適に使用でき（図１参照）、ディスプレイ筐体１４を本体筐体１６に対して３６０度位置まで回動させて反転させた状態ではタブレット型ＰＣとして好適に使用できる（図４（Ｂ）参照）、いわゆるコンバーチブル型ＰＣである。本発明は、このようなコンバーチブル型ＰＣ以外、例えば、ディスプレイ筐体１４が１８０度位置程度までしか回動しない一般的なノート型ＰＣ、携帯電話、スマートフォン又は電子手帳等、２つの筐体を開閉可能に連結した構成の電子機器であれば好適に適用できる。
【００２１】
以下、図２に示すようにディスプレイ筐体１４を本体筐体１６に対して閉じた状態（０度位置）での形態を基準とし、ディスプレイ筐体１４及び本体筐体１６のヒンジ装置１０側の端部を後端（後方）、その反対側の端部を前端（前方）、厚み方向を上下方向、幅方向を左右方向と呼んで説明する。
【００２２】
また、説明の便宜上、ヒンジ装置１０による本体筐体１６とディスプレイ筐体１４の角度位置について、ディスプレイ筐体１４を本体筐体１６に対して完全に閉じた状態とし、ディスプレイ筐体１４の下面（内面）１４ａが本体筐体１６の上面（内面）１６ａに対面した姿勢を０度位置（図２及び図３（Ａ）参照）と呼び、この０度位置を基準として、ディスプレイ筐体１４を回動させながら開く方向で角度を刻みながら説明する。例えば、ディスプレイ筐体１４と本体筐体１６とが略直交した姿勢を９０度位置（図３（Ｂ）参照）と呼び、ディスプレイ筐体１４の下面１４ａと本体筐体１６の上面１６ａが同一方向（上方）を向いて互いに平行した姿勢を１８０度位置（図３（Ｃ）参照）と呼ぶ。さらに、ディスプレイ筐体１４の上面（外面）１４ｂと本体筐体１６の下面（外面）１６ｂとが対面した姿勢を３６０度位置（図４（Ｂ）参照）と呼ぶ。なお、０度位置、９０度位置、１８０度位置及び３６０度位置等については、本体筐体１６、ディスプレイ筐体１４又はヒンジ装置１０の構造により、角度数字の示す正確な角度位置から多少ずれた角度位置となることも当然生じるものであり、これらのずれた角度位置も含めて、本実施形態では０度位置等と呼んで説明している。
【００２３】
図１及び図２に示すように、携帯用情報機器１２は、下面１４ａにディスプレイ１８を有するディスプレイ筐体１４の後端部１４ｃと、上面１６ａにキーボード２０を有する本体筐体１６の後端部１６ｃとを、左右一対のヒンジ装置１０，１０によって回動可能に連結したものである。
【００２４】
ディスプレイ筐体１４は、本体筐体１６よりも薄い平板状に構成されている。ディスプレイ筐体１４は、その後端部１４ｃに設けられたヒンジ装置１０によって本体筐体１６と連結されると共に、ヒンジ装置１０を通過した図示しないケーブルにより本体筐体１６と電気的に接続されている。ディスプレイ１８は、例えばタッチパネル式の液晶表示装置によって構成される。
【００２５】
ディスプレイ筐体１４の上面１４ｂは、ヒンジ装置１０を上方から覆う位置まで後方に延出された天板２２によって形成されている。これにより、ヒンジ装置１０はその上方が天板２２で隠された状態でディスプレイ筐体１４に連結されている（図３（Ａ）参照）。このような天板２２は、ヒンジ装置１０の配設用の切欠部を持たない四辺が直線状の矩形形状であると共に、外観上でヒンジ装置１０が目立つことが防止されるため、携帯用情報機器１２の外観品質が向上する。
【００２６】
本体筐体１６は、平板状に構成された箱体である。本体筐体１６は、その後端部１６ｃに設けられたヒンジ装置１０によってディスプレイ筐体１４と連結されている。本体筐体１６の上面１６ａには、キーボード２０等の入力手段が設けられ、本体筐体１６の内部には、図示しない基板、演算装置、及びメモリ等の各種電子部品が設けられている。キーボード２０は、本体筐体１６の上面１６ａに設けられた図示しないタッチパネル式のディスプレイに表示される方式で構成されてもよい。
【００２７】
図３及び図４に示すように、ヒンジ装置１０は、２軸構造によりディスプレイ筐体１４の０度位置から３６０度位置までの回動を可能とするものである。ヒンジ装置１０は、ディスプレイ筐体１４に対して回転不能に連結され、左右方向に延びた第１軸２４と、本体筐体１６に対して回転不能に連結され、左右方向に延びた第２軸２６と、これら第１軸２４及び第２軸２６を回転可能に保持する箱状のヒンジブロック（ヒンジ筐体）２８とを備える。
【００２８】
図２及び図３（Ａ）に示すように、携帯用情報機器１２は、０度位置においてディスプレイ筐体１４側の第１軸２４が本体筐体１６側の第２軸２６よりも後方にオフセットされた配置となっている。その結果、０度位置及び３６０度位置においてディスプレイ筐体１４の後端部１４ｃ及び該後端部１４ｃとは反対側の前端部１４ｄと、本体筐体１６の後端部１６ｃ及び該後端部１６ｃとは反対側の前端部１６ｄとが前後方向に位置ずれし、携帯用情報機器１２は側面視で略平行四辺形状に構成される（図４（Ｂ）も参照）。
【００２９】
次に、ヒンジ装置１０の具体的な構成例について説明する。
【００３０】
図３（Ａ）〜図４（Ｂ）に示すように、第１軸２４は、その一端部又は両端部がディスプレイ筐体１４に設けられた図示しない嵌合孔に嵌入固定されることで該ディスプレイ筐体１４と一体的に回転する。第２軸２６は、その一端部又は両端部が本体筐体１６に設けられた図示しない嵌合孔に嵌入固定されることで該本体筐体１６と一体的に回転する。これら第１軸２４及び第２軸２６は、ヒンジブロック２８によってそれぞれ回転可能に保持されると共に、ヒンジブロック２８の一側面又は両側面から突出してそれぞれディスプレイ筐体１４及び本体筐体１６に連結される。これにより、ディスプレイ筐体１４は第１軸２４と共にヒンジブロック２８に対して回転可能に支持され、本体筐体１６は第２軸２６と共にヒンジブロック２８に対して回転可能に支持される。
【００３１】
ヒンジ装置１０は、例えば第１軸２４及び第２軸２６にそれぞれ平歯車（図示せず）が外嵌され、これら各軸２４，２６の平歯車間が図３（Ｃ）に示すように複数の平歯車３０を噛合いさせた歯車列によって同期回転可能に連結されている。従って、このようなヒンジ装置１０を備えた携帯用情報機器１２では、ディスプレイ筐体１４を本体筐体１６から開き動作させると、各平歯車３０による回転伝達作用によって第１軸２４と第２軸２６とが反対方向に同期回転する（図３（Ａ）〜図４（Ｂ）参照）。ヒンジ装置１０は、例えば後述する図５（Ａ）〜図６（Ｂ）に示すヒンジ装置１０Ａのようにヒンジブロック２８の回動角度位置に応じて第１軸２４及び第２軸２６の一方又は両方が選択的に回転する構造であってもよい。
【００３２】
ヒンジブロック２８は、ディスプレイ筐体１４の後端部１４ｃに設けられ、上部が天板２２で蓋された凹部１４ｅと、本体筐体１６の後端部１６ｃに設けられた凹部１６ｅとの間に亘って配設される。ヒンジブロック２８は、上端側が第１軸２４を介してディスプレイ筐体１４に支持され、下端側が第２軸２６を介して本体筐体１６に支持されると共に、これら第１軸２４と第２軸２６との間に前方に向かって屈曲した屈曲形状（ブーメラン形状）を有する。
【００３３】
具体的には、ヒンジブロック２８の後端側に向いて配置される外面（後面）２８ａには前端側に向かって凹んだ形状の逃げ部３２が設けられると共に、その内面も逃げ部３２に沿うように曲がった形状とされている。本実施形態の場合、逃げ部３２は側面視直角形状としている。ヒンジブロック２８は、逃げ部３２を有していれば必ずしも全体が屈曲したブーメラン形状でなくてもよく、例えば側面視矩形の外面２８ａにのみ凹状の逃げ部３２を設けた形状であってもよい。
【００３４】
次に、ヒンジ装置１０によるディスプレイ筐体１４と本体筐体１６の回動動作について説明する。
【００３５】
先ず、図３（Ａ）に示すように０度位置にあるディスプレイ筐体１４を本体筐体１６から開く方向に回動させると、ヒンジ装置１０では各平歯車３０による回転伝達作用によって第１軸２４及び第２軸２６が同期して互いに反対方向に回転する。これにより、例えば０度位置から１８０度位置の間ではヒンジブロック２８が後方に突出しながら下降するドロップダウン構造として動作する（図３（Ａ）〜図３（Ｃ）参照）。その結果、例えば９０度位置から１５０度位置の間で、携帯用情報機器１２をノート型ＰＣとして利用できる。
【００３６】
続いてディスプレイ筐体１４を１８０度位置よりもさらに開き方向に回動させると、ディスプレイ筐体１４の上面１４ｂの後端となる天板２２の後端２２ａがヒンジブロック２８の逃げ部３２に進入しつつディスプレイ筐体１４が回動する。そして、例えば図４（Ａ）に示す２７０度位置では、天板２２の後端２２ａがヒンジブロック２８の外面２８ａに設けた逃げ部３２に完全に収容された状態となる。
【００３７】
最終的にはディスプレイ筐体１４が本体筐体１６の下面１６ｂ側に回り込み、図４（Ｂ）に示すように互いの上面１４ｂと下面１６ｂとが対面した背中合わせの３６０度位置となり、タブレット型ＰＣとしての使用が可能となる。
【００３８】
このように、ヒンジ装置１０はヒンジブロック２８の外面２８ａに逃げ部３２を有する。このため、図３（Ｃ）に示す１８０度位置より大きな回動角度とされた場合であっても、ヒンジブロック２８の上方を覆う天板２２（ディスプレイ筐体１４の上面１４ｂ）がヒンジブロック２８の外面２８ａに干渉することが回避される。これにより、ディスプレイ筐体１４の上面１４ｂを切欠部を持たない天板２２によって形成し、ヒンジ装置１０を上方から隠した携帯用情報機器１２であっても、ディスプレイ筐体１４を図４（Ａ）及び図４（Ｂ）に示す２７０度位置や３６０度位置まで円滑に回動させることが可能となっている。
【００３９】
そこで、図３（Ａ）に示すように、ヒンジ装置１０では、天板２２を設けたディスプレイ筐体１４における第１軸２４の軸中心から後方への後端２２ａ（後端部１４ｃ）の突出量を距離Ｌ１と称し、第１軸２４の軸中心から逃げ部３２の前端（前面）までの逃げ量を距離Ｌ２と称すると、距離Ｌ２が距離Ｌ１以上、好ましくは距離Ｌ２が距離Ｌ１より大きく設定されている。これにより、第１軸２４の軸中心を基準とした場合、図３（Ａ）に示す０度位置では後方に距離Ｌ１だけ突出していた天板２２を、図４（Ｂ）に示す３６０度位置では距離Ｌ１以上の距離Ｌ２を持った逃げ部３２によって確実に収容することができる。従って、天板２２とヒンジブロック２８の外面２８ａとの干渉を確実に回避できる。なお、逃げ部３２は上記した直角形状以外であってもよく、例えば図４（Ｂ）中に２点鎖線で示す逃げ部３２のように鋭角に形成されると、より確実に天板２２とヒンジブロック２８の外面２８ａとの干渉を防止できる。
【００４０】
図５及び図６は、第１変形例に係るヒンジ装置１０Ａを用いたディスプレイ筐体１４の本体筐体１６に対する回動動作を模式的に示す動作説明図である。図５及び図６において、図１〜図４に示される参照符号と同一の参照符号は、同一又は同様な構成を示し、このため同一又は同様な機能及び効果を奏するものとして詳細な説明を省略し、以下同様とする。
【００４１】
図５及び図６に示すヒンジ装置１０Ａは、図３及び図４に示したヒンジ装置１０と比べて、図５（Ａ）に示す０度位置においてディスプレイ筐体１４側の第１軸２４と本体筐体１６側の第２軸２６とが上下方向に並んだ配置となっている。その結果、０度位置及び３６０度位置においてディスプレイ筐体１４の後端部１４ｃ及び前端部１４ｄと、本体筐体１６の後端部１６ｃ及び前端部１６ｄとが前後方向で一致し、携帯用情報機器１２は側面視で略長方形状に構成される（図６（Ｂ）も参照）。なお、ヒンジ装置１０Ａは、ヒンジブロック２８の回動角度位置に応じて第１軸２４及び第２軸２６の一方又は両方が選択的に回転する構造で構成されている。
【００４２】
このヒンジ装置１０Ａのヒンジブロック２８は、上記したヒンジ装置１０のヒンジブロック２８と略同一形状のブーメラン形状であるが、その設置姿勢が異なるため、逃げ部３２の前後方向の逃げ量が見かけ上小さくなる。
【００４３】
そこで、図５（Ａ）に示すように、ヒンジ装置１０Ａでは、天板２２をヒンジ装置１０の天板２２よりも前後に短い形状とし、その後端２２ａを前方にオフセットしている。これにより、天板２２にヒンジブロック２８の配設用の切欠部を形成することなく、矩形形状の天板２２によってヒンジブロック２８の上方部分の少なくとも一部を覆うことができ、携帯用情報機器１２の外観品質を維持することができる。しかも天板２２の後端２２ａがディスプレイ筐体１４の後端部１４ｃよりも前方に位置しているため、図６（Ａ）や図６（Ｂ）に示す２７０度位置や３６０度位置で逃げ部３２に天板２２を収容することができ、天板２２がヒンジブロック２８の外面２８ａに干渉することを回避できる。
【００４４】
図７は、第２変形例に係るヒンジ装置１０Ｂを用いたディスプレイ筐体１４の本体筐体１６に対する回動動作を模式的に示す動作説明図である。
【００４５】
図７（Ａ）及び図７（Ｂ）に示すヒンジ装置１０Ｂは、図３（Ａ）〜図４（Ｂ）に示したヒンジ装置１０を１軸構造とした構成であり、ディスプレイ筐体１４側の第１軸２４のみを有し、本体筐体１６側の第２軸２６は有していない。その結果、ヒンジ装置１０Ｂを備えた携帯用情報機器１２は、ディスプレイ筐体１４が０度位置から１８０度位置程度まで回動可能な一般的なノート型ＰＣとして構成されている。
【００４６】
このヒンジ装置１０Ｂにおいても、ヒンジブロック２８の外面２８ａに逃げ部３２を有するため、ディスプレイ筐体１４が図７（Ｂ）に示す９０度位置より大きな回動角度とされた際に天板２２の後端２２ａがヒンジブロック２８の外面２８ａに干渉することが回避される。これにより、切欠部を持たない矩形形状の天板２２によってヒンジ装置１０Ｂを上方から覆った携帯用情報機器１２であっても、ディスプレイ筐体１４を９０度位置を越えた１８０度位置まで円滑に回動させることができる。
【００４７】
以上のように、本実施形態に係るヒンジ装置１０（１０Ａ，１０Ｂ）は、少なくとも上部筐体となるディスプレイ筐体１４に固定される第１軸２４を回転可能に支持した状態で下部筐体となる本体筐体１６に支持されるヒンジブロック２８を有し、本体筐体１６の後端部１６ｃにディスプレイ筐体１４の後端部１４ｃを開閉可能に連結する構成であって、ヒンジブロック２８は、ディスプレイ筐体１４及び本体筐体１６の後端側に向いて配置される外面２８ａに、ディスプレイ筐体１４及び本体筐体１６の前端側に向かって凹んだ形状の逃げ部３２を有する。
【００４８】
このようにヒンジブロック２８の外面２８ａに逃げ部３２を設けたことにより、ディスプレイ筐体１４の上面１４ｂにヒンジブロック２８の回避用の切欠部を設けなくても、ディスプレイ筐体１４を開き動作させた際のディスプレイ筐体１４とヒンジブロック２８の外面２８ａとの間の干渉を回避することができる。このため、ディスプレイ筐体１４を四辺が直線状に形成された矩形形状とすることができるため、携帯用情報機器１２の外観品質が向上する。しかも、例えば２軸構造のヒンジ装置１０，１０Ａを備えた携帯用情報機器１２ではディスプレイ筐体１４の開閉角度を０度位置から３６０度位置まで確保することができ、例えば１軸構造のヒンジ装置１０Ｂを備えた携帯用情報機器１２ではディスプレイ筐体１４の開閉角度を０度位置から１８０度位置まで確保することができ、いずれも十分な開閉角度を確保することができる。
【００４９】
この際、ヒンジ装置１０（１０Ａ，１０Ｂ）のヒンジブロック２８は、ディスプレイ筐体１４に支持される上端側と、本体筐体１６に支持される下端側との間を逃げ部３２に沿うように曲げたブーメラン形状を有する。このため、ヒンジブロック２８に十分な強度を確保してディスプレイ筐体１４と本体筐体１６との間を安定して連結することを可能としつつ、ディスプレイ筐体１４との間の干渉を回避して十分な開閉角度を確保することができる。
【００５０】
なお、本発明は、上記した実施形態に限定されるものではなく、本発明の主旨を逸脱しない範囲で自由に変更できることは勿論である。
【符号の説明】
【００５１】
１０，１０Ａ，１０Ｂ  ヒンジ装置
１２  携帯用情報機器
１４  ディスプレイ筐体
１４ａ，１６ｂ  下面
１４ｂ，１６ａ  上面
１４ｃ，１６ｃ  後端部
１４ｄ，１６ｄ  前端部
１６  本体筐体
１８  ディスプレイ
２０  キーボード
２２  天板
２２ａ  後端
２４  第１軸
２６  第２軸
２８  ヒンジブロック
２８ａ  外面
３２  逃げ部
【図１】
2016164428.tif 000003
【図２】
2016164428.tif 000004
【図３】
2016164428.tif 000005
【図４】
2016164428.tif 000006
【図５】
2016164428.tif 000007
【図６】
2016164428.tif 000008
【図７】
2016164428.tif 000009